(57)【要約】【課題】  冷媒ガスを円滑に吸入しながら、同時に圧縮機内で加熱された冷媒ガスの吸入を遮断することのできるスクロール圧縮機の固定スクロールを提供すること。【解決手段】  スクロール本体（１０）は、インボリュート形状のラップ（１２）によって形成される圧縮室（１１）を有する。スクロール本体の下部の外周面にフランジ部（１３）が形成されている。フランジ部の一側に、メインフレーム（２）に沿って上昇する冷媒ガスだけを前記圧縮室に誘導する遮断吸入部（２０）が形成され、遮断吸入部はフランジ部の下面を切開して成り、圧縮室と連通される吸入誘導溝（２１）で構成され、吸入誘導溝の内部の一側はラップの端部から延長された傾斜面（２３）で形成され、他側は傾斜面に対応する対応傾斜面（２４）で形成される。【選択図】      図３
2006283753.tif 000002
【特許請求の範囲】
【請求項１】
インボリュート形状のラップによって形成される圧縮室を有するスクロール本体と、
前記スクロール本体の下部の外周面に形成されたフランジ部と、を具備し、
前記フランジ部の一側に、メインフレームに沿って上昇せしめられる冷媒ガスだけを前記圧縮室に誘導する遮断吸入部が形成されている、
ことを特徴とするスクロール圧縮機の固定スクロール。
【請求項２】
前記遮断吸入部は、前記フランジ部を遮断部を有するように下面を切開して成り、前記圧縮室と連通される吸入誘導溝で構成されている、ことを特徴とする特許請求の範囲第１項に記載のスクロール圧縮機の固定スクロール。
【請求項３】
前記吸入誘導溝の内部の一側は、前記ラップの端部から延長された傾斜面で形成されている、ことを特徴とする特許請求の範囲第２項に記載のスクロール圧縮機の固定スクロール。
【請求項４】
前記吸入誘導溝の内部の他側は、前記傾斜面に対応する対応傾斜面で形成されている、ことを特徴とする特許請求の範囲第３項に記載のスクロール圧縮機の固定スクロール。
【請求項５】
インボリュート形状のラップによって形成された圧縮室を有する固定スクロールと、
前記固定スクロールと係合し、吸入された冷媒ガスを圧縮する旋回スクロールと、
前記固定スクロールの下面の周りに形成されたフランジ部と、を具備し、
前記フランジ部の一側に、メインフレームに沿って上昇せしめられる冷媒ガスだけを前記圧縮室に誘導する遮断吸入部が形成されている、
ことを特徴とするスクロール圧縮機の圧縮部。
【請求項６】
吸入された冷媒ガスが前記メインフレームの一側に形成された吸入バッフルにぶつかって前記遮断吸入部に移動する、ことを特徴とする特許請求の範囲第５項に記載のスクロール圧縮機の圧縮部。
【請求項７】
前記遮断吸入部は、前記フランジ部を遮断部を有するように下面を切開して成り前記圧縮室と連通される吸入誘導溝で構成されている、ことを特徴とする特許請求の範囲第５項または第６項に記載のスクロール圧縮機の圧縮部。
【請求項８】
前記吸入誘導溝の内部の一側は、前記ラップの端部から延長された傾斜面で形成されている、ことを特徴とする特許請求の範囲第７項に記載のスクロール圧縮機の圧縮部。
【請求項９】
前記吸入誘導溝の内部の他側は、前記傾斜面に対応する対応傾斜面で形成されている、ことを特徴とする特許請求の範囲第８項に記載のスクロール圧縮機の圧縮部。
【請求項１０】
吸入管と吐出管とを具備する密閉されたシェルと、
前記シェル内でメインフレームとサブフレームとによって支持される回転軸と、
前記回転軸と結合され、吸入された冷媒ガスを圧縮する圧縮部とを具備し、
前記圧縮部には、前記吸入管を介して吸入され、前記メインフレームに形成された吸入バッフルにぶつかって上昇せしめられる冷媒ガスを前記圧縮部内部の圧縮室に誘導する遮断吸入部が形成されている、
ことを特徴とするスクロール圧縮機。
【請求項１１】
前記圧縮部は、
インボリュート形状のラップによって形成された圧縮室を有する固定スクロールと、
前記固定スクロールと係合して、吸入された冷媒ガスを圧縮する旋回スクロールと、
前記固定スクロールの下面の周りに形成されたフランジ部と、を含んでいる、
ことを特徴とする特許請求の範囲第１０項に記載のスクロール圧縮機。
【請求項１２】
前記遮断吸入部は、前記フランジ部が遮断部を有するように下面を切開してなった前記圧縮室と連通される吸入誘導溝で構成されていることを特徴とする特許請求の範囲第１０項または第１１項に記載のスクロール圧縮機。
【請求項１３】
前記吸入誘導溝の内部の一側は、前記ラップの端部から延長された傾斜面で形成されていることを特徴とする特許請求の範囲第１２項に記載のスクロール圧縮機。
【請求項１４】
前記吸入誘導溝の内部の他側は、前記傾斜面に対応する対応傾斜面で形成されていることを特徴とする特許請求の範囲第１３項に記載のスクロール圧縮機。
【発明の詳細な説明】
【技術分野】
【０００１】
本発明は、スクロール圧縮機に関するもので、より詳細には、吸入管を介してシェル内に吸入された冷媒ガスが加熱されずに圧縮室内に吸入されるように誘導するスクロール圧縮機の固定スクロールに関するものである。
【背景技術】
【０００２】
図１は、従来のスクロール圧縮機を示した要部縦断面図であり、図２は、図１に図示した固定スクロールを示した斜視図である。図１及び図２に図示された矢印は、吸入された冷媒ガスの流動方向を示したものである。
【０００３】
ここに示したように、従来のスクロール圧縮機は、密閉された空間を形成し、吸入管１０１及び吐出管１０２とを有するシェル１００と、シェル１００の内側の上部に配置され、冷媒ガスを圧縮する圧縮部２００と、圧縮部２００を駆動させる駆動軸３００とを具備する。
【０００４】
圧縮部２００は、メインフレーム４００の上面に具備され、かつ回転軸３００の上端に結合されて旋回運動をする旋回スクロール２０１と、旋回スクロール２０１と噛合って、吸入される冷媒ガスを圧縮する固定スクロール２０２とで構成される。
【０００５】
このように構成されたスクロール圧縮機では、吸入管１０１を介してシェル１００の内部に流入した冷媒ガスが、メインフレーム４００の一側に形成された吸入バッフル４０１にぶつかりながら、その一部は圧縮部２００側に移動し、残りはシェル１００の下部側に移動してシェル１００の内部で流動することになる。
【０００６】
吸入バッフル４０１によって上昇せしめられた冷媒ガスは、固定スクロール２０２のスクロール本体２０２ａの一側に形成された吸入口２０２ｂを介してラップ２０２ｃによって形成された圧縮室２０２ｄに流入するが、吸入バッフル４０１にぶつかってシェル１００の下部側に移動した冷媒ガスは、シェル１００の内部で流動しながら加熱された後、図２に図示された矢印のように、スクロール本体２０２ａの外部面に沿って循環されながら吸入口２０２ｂに流入する。
【０００７】
このような従来のスクロール圧縮機では、吸入バッフルにぶつかった冷媒ガスが直に吸入口に流入せず、スクロール本体の外部面に沿って循環されることによって、圧縮室への冷媒ガスの吸入が円滑になされないという問題点があった。
【０００８】
また、スクロール本体の外部面に沿って循環しながら加熱された冷媒ガスが吸入口に流入して、圧縮機の体積効率が著しく低下することによって、圧縮機の全体的な性能が低下するという問題点があった。
【発明の開示】
【発明が解決しようとする課題】
【０００９】
そこで、本発明は、上述のような従来の諸般問題点を解消するために案出されたもので、本発明の目的は、冷媒ガスの吸入を円滑におこないながら、同時に圧縮機内で加熱された冷媒ガスの吸入を遮断することのできるスクロール圧縮機の固定スクロールを提供することにある。
【００１０】
また、本発明の他の目的は、別途に追加的な部材を装着する必要なく、固定スクロール加工時の加工工程の追加だけで、冷媒ガスの吸入と加熱された冷媒ガスの遮断とを円滑に遂行するスクロール圧縮機の固定スクロールを提供することにある。
【課題を解決するための手段】
【００１１】
上記の本発明の目的を達成するために、本発明によるスクロール圧縮機の固定スクロールは、インボリュート形状のラップによって形成される圧縮室を有するスクロール本体と、スクロール本体の下部の外周面に形成されたフランジ部と、フランジ部の一側に、メインフレームに沿って上昇せしめられる吸入ガスだけを圧縮室に誘導する遮断吸入部とを具備することを特徴とする。
【００１２】
また、遮断吸入部は、フランジ部が遮断部を有するように下面を切開してなった圧縮室と連通される吸入誘導溝で構成されていることを特徴とする。
【００１３】
また、吸入誘導溝を介して冷媒ガスが圧縮室に流入するように、吸入誘導溝の内部の一側は、ラップの端部から延長された傾斜面で形成され、吸入誘導溝の内部の他側は、傾斜面に対応する対応傾斜面で形成されていることを特徴とする。
【発明の効果】
【００１４】
上述したように、本発明は、冷媒ガスの吸入が円滑になされながら、同時に圧縮機内で加熱された冷媒ガスの吸入を遮断することによって、冷媒ガスのより安定的な吸入がなされ、体積効率の向上によって、圧縮機の効率が上昇されるという効果を有する。
【００１５】
また、本発明は、別途の追加的な部材を装着することなく、簡単な形状加工にて、冷媒ガスの吸入と加熱された冷媒ガスの遮断が円滑になされることによって、製作が簡便で、製作単価が低廉になるという効果を有する。 
【発明を実施するための最良の形態】
【００１６】
以下、添付の図面を参照して、本発明によるスクロール圧縮機の固定スクロールを詳細に説明する。
図３は、本発明による固定スクロールの後方斜視図で、図４は、本発明の結合状態を示した要部斜視図である。
【００１７】
ここに示したように、スクロール圧縮機の固定スクロール１は、内部に圧縮室１１を有し、メインフレーム２の上面に装着されるスクロール本体１０と、圧縮室１１に冷媒ガスが流入するようにスクロール本体１０に形成される遮断吸入部２０とを含む。
スクロール本体１０には、圧縮室１１を構成するインボリュート形状のラップ１２が内部に形成され、メインフレーム２の上面に装着されるように下面の周りにはフランジ部１３が形成される。
【００１８】
そして、遮断吸入部２０は、スクロール本体１０の外部から流入する冷媒ガスを遮断し、かつメインフレーム２の一側に形成された吸入バッフル２ａを介して上昇される冷媒ガスだけを圧縮室１１に誘導するもので、吸入バッフル２ａの上端に対応するスクロール本体１０に形成されたフランジ部１３が遮断部２２を有するように下面を切開してなった圧縮室１１と連通される吸入誘導溝２１で構成される。
【００１９】
遮断吸入部２０は、メインフレーム２の一側に形成された吸入バッフル２ａによって上昇せしめられる冷媒ガスが、遮断部２２にぶつかって直に吸入誘導溝２１を介して圧縮室１１に流入するように誘導し、同時にスクロール本体の外部面に沿って流動している加熱された冷媒ガスが吸入誘導溝２１に流入しないように、遮断部２２を介して遮断するものである。
【００２０】
また、吸入誘導溝２１の内部の一側は、ラップ１２の端部から延長された傾斜面２３で形成され、吸入誘導溝２１の内部の他側は、傾斜面２３に対応する対応傾斜面２４で形成される。
傾斜面２３と対応傾斜面２４は、メインフレーム２の吸入バッフル２ａによって上昇せしめられた冷媒ガスが、吸入誘導溝２１を介してスクロール本体１０内部の圧縮室１１に、より円滑に流入するように誘導する役割をする。
【００２１】
図５は、本発明の吸入状態を示した要部縦断面図である。
ここに示したように、シェル３に具備された吸入管３ａを介してシェル３の内部に流入される冷媒ガスは、吸入管３ａと対応するように形成されたメインフレーム２の吸入バッフル２ａによって上昇せしめられ、遮断部２２にぶつかった後、吸入誘導溝２１を介してラップ１２によって形成されたスクロール本体１０の圧縮室１１に流入する。
【００２２】
そして、吸入バッフル２ａにぶつかって下部側に移動した冷媒ガスは、圧縮機の内部で循環して加熱され、スクロール本体１０の外部面に沿って循環されるが、遮断部２２によって遮断され、吸入誘導溝２１には流入しない。
従って、シェル３の内部に流入された吸入ガスは、吸入誘導溝２１と遮断部２２とによって直に圧縮室１１に流入し、シェル３の内部で加熱された吸入ガスは、遮断部２２によって遮断されて圧縮室１１に流入しない。
【図面の簡単な説明】
【００２３】
【図１】従来のスクロール圧縮機を示した要部縦断面図である。
【図２】図１に図示した固定スクロールを示した斜視図である。
【図３】本発明による固定スクロールの後方斜視図である。
【図４】本発明の結合状態を示した要部斜視図である。
【図５】本発明の吸入状態を示した要部縦断面図である。
【符号の説明】
【００２４】
１    固定スクロール
２    メインフレーム
２ａ    吸入バッフル
３    シェル
３ａ    吸入管
１０    スクロール本体
１１    圧縮室
１２    ラップ
１３    フランジ部
２０    遮断吸入部
２１    吸入誘導溝
２２    遮断部
２３    傾斜面
２４    対応傾斜面
【図１】
2006283753.tif 000003
【図２】
2006283753.tif 000004
【図３】
2006283753.tif 000005
【図４】
2006283753.tif 000006
【図５】
2006283753.tif 000007